(57)【要約】【課題】更新用情報に基づいて制御プログラムを更新する際に、制御プログラムが制御する機能部のパラメータの設定値を新たな制御プログラムに合わせて新たな設定値に更新する更新プログラム及び画像形成装置を提供する。【解決手段】画像形成装置１は、ファームウエア１２０を更新するための更新用情報１３０を受け付ける更新ファームウエア受付手段１００と、設定構造情報１２１及び更新用情報１３０を展開することで得られる新たな設定構造情報のバージョンを比較する比較手段１０１と、比較の結果、バージョンが異なる場合、設定構造情報１２１を退避する退避手段１０２と、更新用情報１３０に基づき新ファームウエア１２０Ａ及び新設定構造情報１２１Ａに更新する更新手段１０３と、退避された設定構造情報１２１と、新たな設定構造情報１２１Ａとの違いに基づいて設定情報１１１を新たな設定情報１１１に更新する設定情報更新手段１０４とを有する。【選択図】図２
2012118869.tif 000002
【特許請求の範囲】
【請求項１】
コンピュータを、
機能部の動作を制御する制御プログラム及び前記機能部に設定可能なパラメータの少なくとも設定範囲、初期値及びバージョンを定義する設定構造情報を記憶する第１の記憶手段と、
前記機能部に設定可能なパラメータの設定値である設定情報を記憶する第２の記憶手段と、
前記制御プログラムを更新するための更新用情報を受け付けて前記第２の記憶手段に格納する受付手段と、
前記設定構造情報のバージョンと、前記更新用情報を展開することで得られる新たな設定構造情報のバージョンとを比較する比較手段と、
前記比較手段による比較結果がバージョンが異なる旨を示す場合、前記設定構造情報を前記第１の記憶手段から前記第２の記憶手段に退避する退避手段と、
前記更新用情報を展開して前記第１の記憶手段に記憶されている前記制御プログラムを新たな制御プログラムに更新し、前記第１の記憶手段に記憶されている前記設定構造情報を新たな設定構造情報に更新する制御プログラム更新手段と、
前記第２の記憶手段に退避された前記設定構造情報並びに前記新たな設定構造情報の設定範囲及び初期値と、前記設定情報の内容とに基づいて当該設定情報を新たな設定情報に更新する設定情報更新手段として機能させるための更新プログラム。
【請求項２】
前記設定値更新手段は、前記設定情報の設定値が前記設定構造情報の初期値から変更されている場合、前記新たな設定構造情報の設定範囲に基づいて前記設定値の値を前記新たな設定情報の設定値に反映する請求項１に記載の更新プログラム。
【請求項３】
前記設定値更新手段は、前記設定情報の設定値が前記設定構造情報の初期値から変更されていない場合、前記新たな設定構造情報の初期値を前記新たな設定情報の設定値として反映する請求項１に記載の更新プログラム。
【請求項４】
前記設定値更新手段は、前記比較手段の比較結果がバージョンが同一である旨を示す場合、前記設定情報を更新しない請求項１に記載の更新プログラム。
【請求項５】
機能部の動作を制御する制御プログラム及び前記機能部に設定可能なパラメータの少なくとも設定範囲、初期値及びバージョンを定義する設定構造情報を記憶する第１の記憶手段と、
前記機能部に設定可能なパラメータの設定値である設定情報を記憶する第２の記憶手段と、
前記制御プログラムを更新するための更新用情報を受け付けて前記第２の記憶手段に格納する受付手段と、
前記設定構造情報のバージョンと、前記更新用情報を展開することで得られる新たな設定構造情報のバージョンとを比較する比較手段と、
前記比較手段による比較結果がバージョンが異なる旨を示す場合、前記設定構造情報を前記第１の記憶手段から前記第２の記憶手段に退避する退避手段と、
前記更新用情報を展開して前記第１の記憶手段に記憶されている前記制御プログラムを新たな制御プログラムに更新し、前記第１の記憶手段に記憶されている前記設定構造情報を新たな設定構造情報に更新する制御プログラム更新手段と、
前記第２の記憶手段に退避された前記設定構造情報並びに前記新たな設定構造情報の設定範囲及び初期値と、前記設定情報の内容とに基づいて当該設定情報を新たな設定情報に更新する設定情報更新手段とを有する画像形成装置。
【発明の詳細な説明】
【技術分野】
【０００１】
本発明は、更新プログラム及び画像形成装置に関する。
【背景技術】
【０００２】
画像形成装置の機能部を制御する制御プログラムとしてのファームウエアを更新する際に、新たなファームウエアに合わせてパラメータの設定値を変換する技術が提案されている。
【０００３】
これに関連する技術として、特許文献１には、機能部に設定可能な複数のパラメータの設定値からなる設定情報を、新たなファームウエアに最適化する変換テーブルが用意されている状態で、既存のファームウエアを更新する更新用の情報に含めてこの変換テーブルをダウンロードし、当該更新用の情報に基づいてファームウエアの更新を実行するとともに、変換テーブルを用いて設定情報を新たなファームウエアに合わせて更新する画像形成装置が開示されている。
【先行技術文献】
【特許文献】
【０００４】
【特許文献１】特開２００８−６５６１８号公報
【発明の概要】
【発明が解決しようとする課題】
【０００５】
本発明の目的は、更新用情報に基づいて制御プログラムを更新する際に、制御プログラムが制御する機能部のパラメータの設定値を新たな制御プログラムに合わせて新たな設定値に更新する更新プログラム及び画像形成装置を提供することにある。
【課題を解決するための手段】
【０００６】
［１］コンピュータを、
機能部の動作を制御する制御プログラム及び前記機能部に設定可能なパラメータの少なくとも設定範囲、初期値及びバージョンを定義する設定構造情報を記憶する第１の記憶手段と、
前記機能部に設定可能なパラメータの設定値である設定情報を記憶する第２の記憶手段と、
前記制御プログラムを更新するための更新用情報を受け付けて前記第２の記憶手段に格納する受付手段と、
前記設定構造情報のバージョンと、前記更新用情報を展開することで得られる新たな設定構造情報のバージョンとを比較する比較手段と、
前記比較手段による比較結果がバージョンが異なる旨を示す場合、前記設定構造情報を前記第１の記憶手段から前記第２の記憶手段に退避する退避手段と、
前記更新用情報を展開して前記第１の記憶手段に記憶されている前記制御プログラムを新たな制御プログラムに更新し、前記第１の記憶手段に記憶されている前記設定構造情報を新たな設定構造情報に更新する制御プログラム更新手段と、
前記第２の記憶手段に退避された前記設定構造情報並びに前記新たな設定構造情報の設定範囲及び初期値と、前記設定情報の内容とに基づいて当該設定情報を新たな設定情報に更新する設定情報更新手段として機能させるための更新プログラム。
【０００７】
［２］前記設定値更新手段は、前記設定情報の設定値が前記設定構造情報の初期値から変更されている場合、前記新たな設定構造情報の設定範囲に基づいて前記設定値の値を前記新たな設定情報の設定値に反映する前記［１］に記載の更新プログラム。
【０００８】
［３］前記設定値更新手段は、前記設定情報の設定値が前記設定構造情報の初期値から変更されていない場合、前記新たな設定構造情報の初期値を前記新たな設定情報の設定値として反映する前記［１］に記載の更新プログラム。
【０００９】
［４］前記設定値更新手段は、前記比較手段の比較結果がバージョンが同一である旨を示す場合、前記設定情報を更新しない前記［１］に記載の更新プログラム。
【００１０】
［５］機能部の動作を制御する制御プログラム及び前記機能部に設定可能なパラメータの少なくとも設定範囲、初期値及びバージョンを定義する設定構造情報を記憶する第１の記憶手段と、
前記機能部に設定可能なパラメータの設定値である設定情報を記憶する第２の記憶手段と、
前記制御プログラムを更新するための更新用情報を受け付けて前記第２の記憶手段に格納する受付手段と、
前記設定構造情報のバージョンと、前記更新用情報を展開することで得られる新たな設定構造情報のバージョンとを比較する比較手段と、
前記比較手段による比較結果がバージョンが異なる旨を示す場合、前記設定構造情報を前記第１の記憶手段から前記第２の記憶手段に退避する退避手段と、
前記更新用情報を展開して前記第１の記憶手段に記憶されている前記制御プログラムを新たな制御プログラムに更新し、前記第１の記憶手段に記憶されている前記設定構造情報を新たな設定構造情報に更新する制御プログラム更新手段と、
前記第２の記憶手段に退避された前記設定構造情報並びに前記新たな設定構造情報の設定範囲及び初期値と、前記設定情報の内容とに基づいて当該設定情報を新たな設定情報に更新する設定情報更新手段とを有する画像形成装置。
【発明の効果】
【００１１】
請求項１又は５に係る発明によれば、更新用情報に基づいて制御プログラムを更新する際に、制御プログラムが制御する機能部のパラメータの設定値を新たな制御プログラムに合わせて新たな設定値に更新することができる。
【００１２】
請求項２に係る発明によれば、既存の設定情報の設定値が既存の設定構造情報の初期値から変更されている場合、新たな設定構造情報の設定範囲に基づいて既存の設定値の値を新たな設定情報の設定値に反映することができる。
【００１３】
請求項３に係る発明によれば、既存の設定情報の設定値が既存の設定構造情報の初期値から変更されていない場合、新たな設定構造情報の初期値を新たな設定情報の設定値として反映することができる。
【００１４】
請求項４に係る発明によれば、比較手段の比較結果がバージョンが同一である旨を示す場合、設定情報を更新する工程を省略することができる。
【図面の簡単な説明】
【００１５】
【図１】図１は、本発明のファームウエア更新システムの構成例を示す概略図である。
【図２】図２は、画像形成装置の構成例を示すブロック図である。
【図３】図３（ａ）及び（ｂ）は、それぞれ記憶部に格納される設定情報及びＲＯＭに格納される設定構造情報の内容の一例を示す概略図である。
【図４】図４（ａ）〜（ｃ）は、画像形成装置の動作に伴い変化する記憶部、ＲＯＭ及びＲＡＭが格納する内容を示す概略図である。
【図５】図５（ａ）及び（ｂ）は、ファームウエア更新前後の設定情報及び設定構造情報の内容を示す概略図である。
【図６】図６は、画像形成装置の動作の一例を示すフローチャートである。
【発明を実施するための形態】
【００１６】
（ファームウエア更新システムの構成）
図１は、本発明のファームウエア更新システムの構成例を示す概略図である。
【００１７】
このファームウエア更新システム４は、画像形成装置１と、更新用情報配信サーバ２とをネットワーク３によって互いに通信可能に接続することで構成される。
【００１８】
画像形成装置１は、情報を処理するための機能を備えたＣＰＵ（Ｃｅｎｔｒａｌ  Ｐｒｏｃｅｓｓｉｎｇ  Ｕｎｉｔ）やＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）及びＨＤＤ（Ｈａｒｄ  Ｄｉｓｋ  Ｄｒｉｖｅ）又はフラッシュメモリ等の電子部品と、印刷やスキャン、ファクシミリ通信等の動作を行う印刷機能部とを備える。
【００１９】
画像形成装置１の印刷機能部等のハードウエアは、ＲＯＭに格納された印刷機能部を制御する制御プログラムであるファームウエアを実行することによって動作し、印刷機能部の各種設定値は利用者によって変更される。また、画像形成装置１は、ファームウエア更新用情報を外部から受信するとファームウエアを更新してアップデートする。
【００２０】
更新用情報配信サーバ２は、画像形成装置１のファームウエアを更新するためのファームウエア更新用情報をネットワーク３を介して配信するサーバ装置である。
【００２１】
ネットワーク３は、ＬＡＮ（Ｌｏｃａｌ  Ａｒｅａ  Ｎｅｔｗｏｒｋ）、インターネット等の通信網であり、有線、無線は問わない。
【００２２】
図２は、画像形成装置１の構成例を示すブロック図である。
【００２３】
画像形成装置１は、ＣＰＵ等から構成され各部を制御するとともに各種のプログラムを実行する制御部１０と、ＨＤＤやフラッシュメモリ等の記憶媒体から構成され情報を記憶する記憶部１１と、主にファームウエア１２０を格納する不揮発性の読出し専用メモリであるＲＯＭ１２と、情報を一時的に格納する揮発性のメモリであるＲＡＭ１３と、ネットワーク３を介して外部と通信する通信部１４と、ファームウエア１２０の制御に基づいて動作し、制御部１０の制御に基づいて印刷処理等を実行して印刷物を出力する印刷機能部１５とを備える。
【００２４】
制御部１０は、後述するファームウエア更新プログラム１１０を実行することで、ファームウエア更新用情報受付手段１００、設定構造情報比較手段１０１、設定構造情報退避手段１０２、ファームウエア更新手段１０３及び設定情報更新手段１０４等として機能する。
【００２５】
ファームウエア更新用情報受付手段１００は、通信部１４を介して外部からファームウエア更新用情報１３０を受け付けて、ＲＡＭ１３に格納する。
【００２６】
設定構造情報比較手段１０１は、ファームウエア更新用情報１３０から新たな設定構造情報のバージョン情報を読み取り、ＲＯＭ１２に格納される現在の設定構造情報１２１のバージョン情報と比較して、比較結果を出力する。ここで、設定構造情報１２１とは、印刷機能部１５等のハードウエアに設定可能な各種パラメータのデフォルト値、設定可能な範囲である値域等を定義する情報である。
【００２７】
設定構造情報退避手段１０２は、設定構造情報比較手段１０１の比較結果がバージョンが異なる旨を示すものである場合、ＲＯＭ１２に格納される現在の設定構造情報１２１をＲＡＭ１３に一時的に退避する。
【００２８】
ファームウエア更新手段１０３は、ファームウエア更新用情報を展開し、ＲＯＭ１２に格納される現在のファームウエア１２０及び設定構造情報１２１を新たなファームウエアに更新する。
【００２９】
設定情報更新手段１０４は、現在の設定構造情報１２１と新たな設定構造情報の内容に基づいて現在の設定情報１１１の内容を更新する。
【００３０】
記憶部１１は、制御部１０を上述した各手段として動作させるファームウエア更新プログラム１１０及びハードウエアに設定可能な各種パラメータの設定値を示す設定情報１１１等を記憶する。
【００３１】
ＲＯＭ１２は、印刷機能部１５等のハードウエアを制御する制御プログラムであるファームウエア１２０及び印刷機能部１５等のハードウエアに設定可能な各種パラメータのデフォルト値、設定可能な範囲である値域等を定義する設定構造情報１２１等を記憶する。
【００３２】
ＲＡＭ１３は、ファームウエア更新用情報受付手段１００が受け付けたファームウエア更新用情報１３０を記憶する。
【００３３】
図３（ａ）及び（ｂ）は、それぞれ記憶部１１に格納される設定情報１１１及びＲＯＭ１２に格納される設定構造情報１２１の内容の一例を示す概略図である。
【００３４】
設定情報１１１は、図３（ａ）に示すように、ハードウエアに設定可能な各種パラメータの内容を示す設定内容欄と、各種パラメータに設定した値を示す設定値欄とを有する。
【００３５】
設定構造情報１２１は、図３（ｂ）に示すように、設定構造情報１２１のバージョンを示すバージョン欄と、設定情報１１１の設定内容欄と対応する設定内容欄と、各設定内容に予め定められた初期値を示すデフォルト値欄と、各設定内容に設定可能な値の範囲を示す値域欄とを有する。
【００３６】
（ファームウエア更新システムの動作）
以下に、ファームウエア更新システム４の動作を図１〜図６を参照しつつ、（１）基本動作、（２）設定構造情報比較動作、（３）ファームウエア更新動作に分けて説明する。
【００３７】
（１）基本動作
まず、更新用情報配信サーバ２は、新たなファームウエアが管理者により準備されると、新たなファームウエアに基づいて、画像形成装置１においてファームウエアを更新するためのファームウエア更新用情報１３０を生成する。
【００３８】
次に、更新用情報配信サーバ２は、ファームウエア更新用情報１３０をネットワーク３を介して画像形成装置１に配信する。
【００３９】
図６は、画像形成装置１の動作の一例を示すフローチャートである。
【００４０】
まず、ファームウエア更新用情報受付手段１００は、通信部１４を介してファームウエア更新用情報１３０を受け付け、ＲＡＭ１３に格納する（Ｓ１）。その結果、画像形成装置１の記憶部１１、ＲＯＭ１２及びＲＡＭ１３に格納される情報は以下に説明する図４（ａ）に示す状態となる。
【００４１】
図４（ａ）〜（ｃ）は、画像形成装置１の動作に伴い変化する記憶部１１、ＲＯＭ１２及びＲＡＭ１３が格納する内容を示す概略図である。
【００４２】
図４（ａ）に示すように、ＲＯＭ１２は、更新前の現在のファームウエア１２０及び設定構造情報１２１を格納する。また、ＲＡＭ１３は、ファームウエア更新用情報１３０を格納し、記憶部１１は、ファームウエア更新プログラム１１０及び設定情報１１１を格納する。
【００４３】
図４（ｂ）及び（ｃ）については、後述する。
【００４４】
（２）設定構造情報比較動作
次に、設定構造情報比較手段１０１は、ファームウエア更新用情報１３０から新たな設定構造情報のバージョン情報１２０ａを読み取り、ＲＯＭ１２に格納される現在の設定構造情報１２１のバージョン情報と比較する（Ｓ２）。
【００４５】
設定構造情報比較手段１０１の比較結果が、バージョンが異なる旨を示すものである場合（Ｓ２；Ｙｅｓ）、設定構造情報退避手段１０２は、ＲＯＭ１２に格納される現在の設定構造情報１２１をＲＡＭ１３に一時的に退避する（Ｓ３）。
【００４６】
また、設定構造情報比較手段１０１は、設定構造情報１２１がＲＡＭ１３に保存されていることを示す保存先アドレス情報１１２を生成して記憶部１１に保存する（Ｓ４）。
【００４７】
なお、ステップＳ２において、設定構造情報比較手段１０１の比較結果が、バージョンが同一である旨を示すものである場合（Ｓ２；Ｎｏ）、ステップＳ３及びＳ４を省略する。
【００４８】
（３）ファームウエア更新動作
次に、ファームウエア更新手段１０３は、ファームウエア更新用情報１３０を展開して、ファームウエアの更新を実行し、ＲＯＭ１２のファームウエア１２０及び設定構造情報１２１を新ファームウエア１２０Ａ及び新設定構造情報１２１Ａに更新する（Ｓ５）。
【００４９】
その結果、画像形成装置１の記憶部１１、ＲＯＭ１２及びＲＡＭ１３に格納される情報は図４（ｂ）に示す状態となる。
【００５０】
図４（ｂ）に示すように、ＲＯＭ１２は、更新された新ファームウエア１２０Ａ及び新設定構造情報１２１Ａを格納する。また、ＲＡＭ１３は、退避された更新前の設定構造情報１２１を格納し、記憶部１１は、ファームウエア更新プログラム１１０及び設定情報１１１に加えて保存先アドレス情報１１２を格納する。
【００５１】
次に、ファームウエア更新手段１０３は、画像形成装置１のリブート（再起動）を開始する（Ｓ６）。リブートの動作は、以下に説明するステップＳ６〜Ｓ１４にかけて行われる。
【００５２】
次に、設定情報更新手段１０４は、記憶部１１に保存先アドレス情報１１２が格納されているか確認し（Ｓ７）、保存されている場合（Ｓ７；Ｙｅｓ）、更新前の設定情報１１１を確認する（Ｓ８）。
【００５３】
設定情報更新手段１０４は、設定情報１１１の設定値がデフォルト値から変更されていない場合（Ｓ８；Ｙｅｓ）、つまり、以下に説明する図５（ａ）に示すような例の場合、次のステップＳ９、Ｓ１０を実行する。
【００５４】
図５（ａ）及び（ｂ）は、ファームウエア更新前後の設定情報１１１及び設定構造情報１２１の内容を示す概略図である。
【００５５】
図５（ａ）に示す「パラメータ１」のように、設定情報１１１の設定値「５」が更新前の設定構造情報１２１のデフォルト値「５」と同一であり、変更されていない場合（Ｓ８；Ｙｅｓ）であって、新設定構造情報１２１Ａのデフォルト値が「３０」に更新されている場合（Ｓ９；Ｙｅｓ）、更新後の設定値は新たなデフォルト値「３０」を適用する（Ｓ１０）。
【００５６】
また、図５（ａ）に示す「パラメータ２」のように、設定情報１１１の設定値「６」が更新前の設定構造情報１２１のデフォルト値「６」と同一であり、変更されていない場合（Ｓ８；Ｙｅｓ）であって、新設定構造情報１２１Ａのデフォルト値が「６」のまま更新されていない場合（Ｓ９；Ｎｏ）、更新後の設定値は元の設定値「６」のままとする。
【００５７】
また、設定情報更新手段１０４は、設定情報１１１の設定値がデフォルト値から変更されている場合（Ｓ８；Ｎｏ）、つまり、以下に説明する図５（ｂ）に示すような例の場合、次のステップＳ１１を実行する。
【００５８】
図５（ｂ）に示す「パラメータ１」のように、設定情報１１１の設定値「６０」が更新前の設定構造情報１２１のデフォルト値「３０」と異なり、変更されている場合（Ｓ８；Ｎｏ）、設定値「６０」が新設定構造情報１２１Ａの値域「５−６０」内であれば元の設定値「６０」のままとし、「パラメータ２」のように設定値「６０」が新設定構造情報１２１Ａの値域「１−３０」内でなければ、範囲内の最大値である「３０」とする（Ｓ１１）。
【００５９】
以上のステップＳ８〜Ｓ１１がすべてのパラメータ（設定内容）に対して行われると（Ｓ１２；Ｙｅｓ）、記憶部１１の設定情報１１１は、新設定情報１１１Ａとなる。
【００６０】
また、設定情報更新手段１０４は、記憶部１１の保存先アドレス情報１１２を消去し（Ｓ１３）、ファームウエア更新手段１０３は、リブートを完了する（Ｓ１４）。
【００６１】
その結果、画像形成装置１の記憶部１１、ＲＯＭ１２及びＲＡＭ１３に格納される情報は図４（ｃ）に示す状態となる。
【００６２】
図４（ｃ）に示すように、ＲＡＭ１３は、退避された更新前の設定構造情報１２１が消去され、記憶部１１は、保存先アドレス情報１１２が消去されるとともに、更新された新設定情報１１１Ａを格納する。
【００６３】
［他の実施の形態］
なお、本発明は、上記実施の形態に限定されず、本発明の要旨を逸脱しない範囲で種々な変形が可能である。例えば、ファームウエア１２０に限らずハードウエアに備えられたＲＯＭ上に格納されてハードウエアを制御する制御プログラムであれば本発明を適用することができる。
【００６４】
なお、ファームウエア更新用情報１３０、退避される設定構造情報１２１は記憶部１１に格納してもよいし、設定情報１１１はＲＡＭ１３又はＲＯＭ１２に格納してもよい。記憶部１１、ＲＯＭ１２及びＲＡＭ１３に格納される情報は、記憶法方が揮発性、不揮発性であることを考慮する限り、それぞれ他の場所に格納してもよい。
【００６５】
また、上記ファームウエア更新プログラム１１０をＣＤ−ＲＯＭ等の記憶媒体に格納して提供することも可能であり、インターネット等のネットワークに接続されているサーバ装置等から装置内の記憶部にダウンロードしてもよい。また、ファームウエア更新用情報受付手段１００、設定構造情報比較手段１０１、設定構造情報退避手段１０２、ファームウエア更新手段１０３及び設定情報更新手段１０４の一部又は全部をＡＳＩＣ等のハードウエアによって実現してもよい。なお、上記実施の形態の動作説明で示した各ステップは、順序の変更、ステップの省略、追加が可能である。
【符号の説明】
【００６６】
１…画像形成装置
２…更新用情報配信サーバ
３…ネットワーク
４…ファームウエア更新システム
１０…制御部
１１…記憶部
１２…ＲＯＭ
１３…ＲＡＭ
１４…通信部
１５…印刷機能部
１００…ファームウエア更新用情報受付手段
１０１…設定構造情報比較手段
１０２…設定構造情報退避手段
１０３…ファームウエア更新手段
１０４…設定情報更新手段
１１０…ファームウエア更新プログラム
１１１…設定情報
１１１Ａ…新設定情報
１１２…保存先アドレス情報
１２０…ファームウエア
１２０Ａ…新ファームウエア
１２０ａ…バージョン情報
１２１…設定構造情報
１２１Ａ…新設定構造情報
１３０…ファームウエア更新用情報
【図１】
2012118869.tif 000003
【図２】
2012118869.tif 000004
【図３】
2012118869.tif 000005
【図４】
2012118869.tif 000006
【図５】
2012118869.tif 000007
【図６】
2012118869.tif 000008